(57)【要約】【課題】流し台の上に載置される天板が不要物となることを防止する。【解決手段】天板１０は、天板面とは反対側の面が、物品Ｃを載置するための凹部１２Ｂを有するトレイ面１２として形成され、かつ、流し台から分離することで、トレイ面１２を上側に向けた状態でトレイとして使用することができるように構成されている。天板１０をトレイとして使用することができるので、トレイを別途用意する必要がなくなり、かつ、天板１０が不要物となることを防止することができる。【選択図】図６
0003173904.tif 000002
【実用新案登録請求の範囲】
【請求項１】
天板を備え、当該天板が上縁部に載置されることで、前記天板の上側の天板面を作業台として用いることができる流し台であって、
前記天板は、前記天板面とは反対側の面が、物品を載置するための凹部を有するトレイ面として形成され、かつ、前記流し台から分離することで、前記トレイ面を上側に向けた状態でトレイとして使用することができるように構成されていることを特徴とする流し台。
【請求項２】
請求項１に記載の流し台であって、
前記上縁部の一辺から上方に向かって突出する段差部と、前記上縁部のうち、前記一辺に対向する他辺の両端部にそれぞれ上方に向かって突出する一対の突起と、を備え、前記天板は、当該天板の縁部の一辺を挟んで位置する２つの角部にそれぞれ前記突起と係合することができる面取り部を備え、かつ、前記天板の前記縁部の一辺と対向する他辺の縁部を前記段差部に当接させて前記各面取り部を前記各突起に係合させた状態で、前記流し台の上に載置することができるように構成され、前記上縁部のうち、前記段差部と前記各突起との間に位置する一辺には、テーブルが接合されていることを特徴とする流し台。
【請求項３】
請求項１または請求項２に記載の流し台であって、
前記天板の前記トレイ面には、当該トレイ面および前記天板面を補強するための凸部が設けられていることを特徴とする流し台。
【請求項４】
請求項１から請求項３のいずれかに記載の流し台であって、
前記天板は、前記天板面と前記トレイ面との間で光を透過させる透明部を備えていることを特徴とする流し台。
【考案の詳細な説明】
【技術分野】
【０００１】
本考案は、実験または調理などの用途に用いられる流し台に関する。詳しくは、天板を備え、この天板が上縁部に載置されることで、天板の上側の天板面を作業台として用いることができる流し台に関する。
【背景技術】
【０００２】
従来、実験に用いるためにテーブルと組み合わせて設けられる流し台において、この流し台の上縁部に天板を載置することで、この天板の上側の天板面を作業台として用いることが広く行われている（例えば、特許文献１を参照）。
【先行技術文献】
【特許文献】
【０００３】
【特許文献１】特開平０５−０３８４５６号公報
【考案の概要】
【考案が解決しようとする課題】
【０００４】
しかし、上記従来技術では、流し台に載置される天板は断面Ｌ字形の板材であり、天板を流し台から外してこの流し台を使用している間は使用用途のない不要物となってしまうという問題があった。
本考案は、上記した問題を解決するものとして創案されたものである。すなわち、本考案が解決しようとする課題は、流し台の上に載置される天板に別の使用用途を与えて、この天板が不要物となることを防止することである。
【課題を解決するための手段】
【０００５】
上記課題を解決するための第１の考案は、天板を備え、この天板が上縁部に載置されることで、天板の上側の天板面を作業台として用いることができる流し台である。上記天板は、上記天板面とは反対側の面が、物品を載置するための凹部を有するトレイ面として形成され、かつ、流し台から分離することで、上記トレイ面を上側に向けた状態でトレイとして使用することができるように構成されている。
この第１の考案によれば、天板を流し台から外してこの流し台を使用している間、天板のトレイ面を上側とすることでその凹部に物品を載置することができる。すなわち、流し台の上に載置される天板に別の使用用途を与えて、この天板が不要物となることを防止することができる。また、天板をトレイとして使用することができるので、トレイを別途用意する必要がなくなる。
【０００６】
ついで、第２の考案は、上述した第１の考案において、上記上縁部の一辺から上方に向かって突出する段差部と、上記上縁部のうち、上記一辺に対向する他辺の両端部にそれぞれ上方に向かって突出する一対の突起と、を備え、天板は、この天板の縁部の一辺を挟んで位置する２つの角部にそれぞれ上記突起と係合することができる面取り部を備え、かつ、天板の縁部の一辺と対向する他辺の縁部を段差部に当接させて各面取り部を各突起に係合させた状態で、流し台の上に載置することができるように構成され、上記上縁部のうち、上記段差部と上記各突起との間に位置する一辺には、テーブルが接合されているものである。
この第２の考案によれば、流し台の上縁部に形成された段差部と一対の突起との３箇所で、流し台に載置される天板を流し台から脱落しないように安定的に保持することができる。また、段差部と一対の突起とは、テーブルが接合される流し台の接合部を成す一辺の両側に形成される。このため、この接合部に水漏れを防止するコーキングを施す際には、コーキングの作業の障害となる突出部がないため、コーキングの作業が行いやすくなり、流し台の施工性が向上する。
【０００７】
さらに、第３の考案は、上述した第１または第２の考案において、天板のトレイ面には、このトレイ面および天板面を補強するための凸部が設けられているものである。
この第３の考案によれば、天板のトレイ面および天板面の強度を高くして、トレイ面の凹部および天板面の耐荷重を大きくすることができる。
【０００８】
さらに、第４の考案は、上述した第１から第３の考案のいずれかにおいて、天板は、天板面とトレイ面との間で光を透過させる透明部を備えているものである。
この第４の考案によれば、天板を流し台の上に載置している時に、天板の上側の天板面から透明部を介して流し台の状態を確認することができる。
【図面の簡単な説明】
【０００９】
【図１】本考案の一実施形態に係る流し台が設けられた実験台を表した平面図であり、２台の流し台の片方のみを使用している状態を表す。
【図２】図１の部分拡大図である。
【図３】図１に表した実験台の正面図である。
【図４】図３の部分拡大図である。
【図５】図４と同様の部分拡大図であり、天板を分離させた状態を表す。
【図６】上記実施形態の天板を分離させて使用している状態を表した斜視図である。
【図７】上記天板を天板面側から見た平面図である。
【図８】上記天板の正面図である。
【図９】上記天板の背面図である。
【図１０】上記天板の右側面図である。
【考案を実施するための形態】
【００１０】
以下に、本考案を実施するための形態について、図面を用いて説明する。なお、以下において、実験台の各部材を固定するネジ止め構造などの付随的な構成については、その図示および説明を省略する。
始めに、本考案の一実施形態に係る流し台が設けられた実験台１の構成について、図面を用いて説明する。この実験台１は、実験者が実験を行うために、理化学の実験室または研究室に設置される実験台である。上記実験台１には、図１ないし図５に示すように、２台の流し台２０が向かい合わせに配設され、この２台の流し台２０を両脇から挟み込むように２台のテーブル３０が配設されている。これにより、実験台１が１台あれば、それぞれが流し台２０およびテーブル３０の両方を使用する２つの実験を、複数人の実験者（図示省略）が別々に行うことができる。
【００１１】
上記各流し台２０は、図１ないし図４に示すように、天板１０を備え、この天板１０をその天板面１１が上側を向いた状態で載置することで、この天板面１１を上記各テーブル３０の上面と面一な作業台として用いることができるようになっている。この天板１０は、全体が透明な合成樹脂により形成されて、上記天板面１１と後述するトレイ面１２（図６参照）との間で光を透過することができるようになっている。
上記構成によれば、天板１０を流し台２０の上に載置している時に、天板１０を介して流し台２０の状態を確認することができる。言い換えると、本実施形態の天板１０はその全体が本考案における「透明部」としての機能を有している。
【００１２】
上記天板１０は、図６ないし図９に示すように、その天板面１１とは反対側（図８で見て下側）の面が、物品Ｃ（例えば、図６に示す力学台車）を載置するための凹部１２Ａを有するトレイ面１２として形成されている。また、天板１０の縁部１３には、図１、図３、および、図６ないし図１０に示すように、上述した各テーブル３０に対向する側にそれぞれ窪み形状に形成された一対の取っ手１３Ａが設けられている。これにより、天板１０は、図１、図３、および、図６に示すように、流し台２０から分離してトレイ面１２を上側に向けた状態で、物品Ｃを運搬するためのトレイとして使用することができるようなっている。
上記構成によれば、実験台１の天板１０を流し台２０から外してこの流し台２０を使用している間、天板１０のトレイ面１２を上側とすることでその凹部１２Ａに物品Ｃを載置することができる。すなわち、流し台２０の上に載置される天板１０に別の使用用途を与えて、この天板１０が不要物となることを防止することができる。また、天板１０をトレイとして使用することができるので、実験者が実験を行う際にトレイを別途用意する必要がなくなる。
なお、本実施形態の天板１０には、図３、図６、および、図９に示すように、流し台２０の上に載置された状態で見て、もう１台の流し台２０に対向する側（図６で見て奥側）の縁部１３に一対の貫通孔１３Ｂが形成されている。
【００１３】
上記トレイ面１２には、図６、および、図９に示すように、長尺に形成された複数本（本実施形態では１２本）の凸部１２Ｂが、それぞれ上述した貫通孔１３Ｂが形成された縁部１３に沿う方向（図９で見て左右方向）に伸びるように設けられている。これにより、天板１０のトレイ面１２および天板面１１を補強してそれぞれの強度を高め、トレイ面１２の凹部１２Ａおよび天板面１１の耐荷重を大きくすることができる。
なお、上記各凸部１２Ｂは、天板１０の天板面１１からトレイ面１２に向かう方向（図４で見て下方向）に突出したハーフドーム形状（突端側が小径に形成された突出切頭錐の突端縁部に丸面形状の面取り加工を施した形状）に形成されている。これにより、各凸部１２Ｂは、トレイ面１２の凹部１２Ａに載置した物品Ｃの滑り止めとしても機能するようになっている。
ところで、本実施形態の天板１０は、シート状の合成樹脂を真空成形することによって全体が一体に形成されている。このため、天板１０の天板面１１には、図２、図６、および、図７に示すように、上記各凸部１２Ｂの形状および配設位置に対応して複数の陥没穴１１Ａが形成されている。この各陥没穴１１Ａは、天板１０の天板面１１の滑り止めとして機能するようになっている。
【００１４】
ここで、天板１０が載置される流し台２０の構造について説明する。この流し台２０は、図１ないし図５に示すように、面取り加工を施された直方体に近い箱形状に形成されて、２台を一対として互いに向かい合うように一体に結合されている。また、各流し台２０には、その上縁部の両脇に接合部３２が設けられて、この各接合部３２に上述した２台のテーブル３０が当接するように配設されている。ここで、上記各テーブル３０は、各流し台２０に対してネジ止め固定されて、上記各接合部３２においてコーキングを施すことができるようになっている。
なお、上記各テーブル３０は、図１および図２に示すように、その上板の各角部３１が丸面形状に面取り加工されることで、実験台１を使用する実験者（図示省略）がケガをしにくいようになっている。また、上記各流し台２０の両脇には、図２ないし図５に示すように、それぞれ一対の引っ掛けフック２３が各テーブル３０側（図３で見て左右両側）に突出するように設けられている。この各引っ掛けフック２３は、上述した天板１０の各貫通孔１３Ｂを引っ掛けて係合させることで、天板１０を上記各流し台２０の両脇に収納できるようにする構成である。
【００１５】
上記各流し台２０には、図１ないし図５に示すように、２台の流し台２０が向かい合う側に位置する上縁部の一辺の中央部分に、上方に向かって突出する段差部２１が形成されている。また、各流し台２０には、上記段差部２１に対向する側（実験台１の外周側）に位置する上縁部の他辺の両端部に、それぞれ上方に向かって突出する一対の突起２２が形成されている。すなわち、上記各突起２２は、各テーブル３０の各流し台２０側の各角部３１に対向する位置に配置されている。言い換えると、上記各テーブル３０は、上記各流し台２０の上縁部のうち、段差部２１と各突起２２との間に位置する一辺に設けられた接合部３２で接合された状態となっている。このため、この接合部３２に水漏れを防止するコーキングを施す際には、コーキングの作業の障害となる段差部２１および各突起２２がないため、コーキングの作業が行いやすくなり、流し台２０の施工性が向上する。
なお、各テーブル３０の各流し台２０側の各角部３１は、図１および図２に示すように、丸面形状に面取りされることで、各流し台２０の各接合部３２および各突起２２から離間されている。また、段差部２１は、各流し台２０の上縁部の中央部分にのみ形成されることで、各テーブル３０および各接合部３２から離間されている。
【００１６】
ところで、上述した天板１０は、図１ないし図３、および、図６ないし図１０に示すように、上記流し台２０に対応した板材形状に形成されて、４つの角部１４を備えている。この４つの角部１４のうち、上記天板１０の縁部１３の一辺を挟んで位置する２つの角部１４（図６で見て手前側に位置する２つの角部１４）には、それぞれ上述した流し台２０の各突起２２と係合することができる面取り部１４Ａ（図６に示すしゃくり面）が設けられている。
そして、天板１０は、図２に示すように、その各面取り部１４Ａと対向する側（図示上側）の縁部１３を上記流し台２０の段差部２１に当接させて上記各面取り部１４Ａを上記各突起２２と係合させた状態で、流し台２０の上に載置することができるように構成されている。これにより、流し台２０の上縁部に形成された段差部２１と一対の突起２２との３箇所で、流し台２０に載置される天板１０を流し台２０から脱落しないように安定的に保持することができる。
【００１７】
本考案は、上述した一実施形態で説明した外観、構成に限定されず、本考案の要旨を変更しない範囲で種々の変更、追加、削除が可能である。例えば、以下のような各種の形態を実施することができる。
（１）天板の角部に設けられる面取り部の形状はしゃくり面に限定されない。すなわち、天板の角部の面取り部を、匙面や几帳面など、流し台の突起と係合することができる任意の面取り形状とすることができる。
（２）天板の縁部の取っ手およびトレイ面の凸部など、天板の具体的な構成は、その形状および配設位置、または、その有無を適宜変更することができる。
（３）天板は、シート状の合成樹脂を真空成形して形成されるものに限定されず、その素材および製造方法を適宜変更することができる。
（４）天板はその全体が透明に形成されたものに限定されない。すなわち、天板の少なくとも一部に天板面とトレイ面との間で光を透過させる透明部が形成されていれば、この天板を流し台の上に載置している時に、天板の上側の天板面から透明部を介して流し台の状態を確認することができる。
（５）天板はその全体を不透明に形成したものとすることができる。すなわち、天板から、この天板の天板面とトレイ面との間で光を透過させる透明部を省略することができる。
【符号の説明】
【００１８】
１      実験台
１０    天板（透明部）
１１    天板面
１１Ａ  陥没穴
１２    トレイ面
１２Ａ  凹部
１２Ｂ  凸部
１３    縁部
１３Ａ  取っ手
１３Ｂ  貫通孔
１４    角部
１４Ａ  面取り部
２０    流し台
２１    段差部
２２    突起
２３    引っ掛けフック
３０    テーブル
３１    角部
３２    接合部
Ｃ      物品
【図１】
0003173904.tif 000003
【図２】
0003173904.tif 000004
【図３】
0003173904.tif 000005
【図４】
0003173904.tif 000006
【図５】
0003173904.tif 000007
【図６】
0003173904.tif 000008
【図７】
0003173904.tif 000009
【図８】
0003173904.tif 000010
【図９】
0003173904.tif 000011
【図１０】
0003173904.tif 000012